(57)【特許請求の範囲】
【請求項１】
押圧ポンプ、透明な容器及びチューブが互いに着脱可能に組み立てられて構成されるストマックポンプであって、
上記容器は、大径の容器本体と、該容器本体の基端部及び先端部に夫々形成された小径の筒状端部とから構成され、
上記押圧ポンプは、弾力的に圧縮と復元が可能なポンプ本体、メッシュフィルタ及び上記容器本体の基端部の筒状端部に装着可能な先端装着管部とを具備しており、
上記チューブの基端は、上記容器本体の先端部の筒状端部の開口内に水密状態を保って挿入できる直径であり、
上記チューブの先端は、魚の胃の中に挿入され、上記ポンプ本体を圧縮し解放することにより、上記胃の中の内容物を上記容器内に吸い出して観察可能とするとともに、上記容器本体の先端部及び基端部の筒状端部に蓋を装着することにより、上記容器をサンプル容器として利用可能とすることを特徴とするストマックポンプ。
【請求項２】
上記容器本体の先端部及び基端部の筒状端部の外周面にねじが形成されていることを特徴とする請求項１記載のストマックポンプ。
【請求項３】
上記ポンプ本体は蛇腹体であり、上記押圧ポンプは、上記蛇腹体と先端装着管部とが接続筒を介して接続されて構成され、上記先端装着管部の先端は、上記容器の筒状端部の開口に圧入又は螺着して装着できるようにした構成であることを特徴とする請求項１又は２記載のストマックポンプ。
【請求項４】
上記ポンプ本体は蛇腹体であり、上記押圧ポンプは、上記蛇腹体と先端装着管部とから一体に構成され、上記先端装着管部の先端は、上記容器の筒状端部の開口に圧入又は螺着して装着できるようにした構成であることを特徴とする請求項１又は２記載のストマックポンプ。
【請求項５】
押圧ポンプ、透明な容器及びチューブが互いに着脱可能に組み立てられて構成されるストマックポンプであって、
上記容器は、大径の容器本体と、該容器本体の基端部及び先端部に夫々形成された小径の筒状端部とから構成され、
上記押圧ポンプは、弾力的に圧縮と復元が可能なポンプ本体、メッシュフィルタ及び上記容器本体の基端部の筒状端部に装着可能な先端装着管部とを具備しており、
上記チューブは、上記容器本体の先端部の筒状端部の開口内に水密状態を保って挿入できる直径であるストマックポンプを利用して魚の胃から内容物を採取してサンプルを作成する方法において、
次の（１）〜（６）の作業過程を含むことを特徴とする魚の胃から内容物を採取してサンプルを作成する方法。
（１）上記蛇腹体を伸縮させて水を容器内に吸引し充填する。
（２）上記チューブの先端を魚の口腔内を通して胃まで挿入し、蛇腹体の押圧部を押圧して容器内の水を胃の中に注入する。
（３）上記蛇腹体の押圧部を押圧した状態からゆっくりと押圧を解放して上記蛇腹体を伸ばすことにより、魚の胃の中の内容物を上記水とともに容器内に吸い出す。
（４）上記チューブを上記容器内に押し込み、上記チューブの基端を容器の略基端側に位置させ、チューブが下方にくるように容器を垂直にする。
（５）容器６の内容物が下に沈むのを待って押圧ポンプを容器から取り外し、チューブを容器から徐々に下方に引き抜きながら、容器内の水を排水する。
（６）容器内の排水が終了してから、チューブを筒状端部から完全に引き抜き、該筒状端部に蓋を装着し、保存液を容器内に充填してサンプルを完成する。
【発明の詳細な説明】
【０００１】
【発明の属する技術分野】
本発明は、フライフィッシングに用いる釣り道具に関するものであり、魚の胃の内容物を調べ魚の好物とする昆虫の種類、状態を知り、フライ選択の手段として、又それに似せたフライ（毛鉤）を作るための、魚の胃の内容物を吸引して吸い出すポンプ（以下、「ストマックポンプ」という。）及び魚の胃から内容物を採取してサンプルを作成する方法に関する。
【０００２】
【従来の技術】
近年人気のあるフライフイッシングとは、文字通りフライ（毛鉤）による魚釣りで、その中でも昆虫を捕らえる魚を昆虫を模したフライを使って釣るという釣り方である。日本では、ヤマメやイワナやマス等の仲間を主な対象としている。そのような昆虫食性を示す魚が、日々、目にし、ロにもしている水生昆虫の多くは、一生の大部分を水中で生活し、わずかな時間ではあるが最終段階を大気中ですごす。大気生活に入る際、ほとんどの種で（はね）が生えた姿に変態する。これを羽化といい、フライフイツシングでは羽化をハッチとも呼び、異常なまでに重視する。それというのも、水生昆虫はその時またはその前後にもの凄く魚に食われるからである。従って、釣り人から見れば、今、魚が正に捕らえ食っている虫がなんなのか（どんな種で、どんな状態、幼虫なのか、脱皮中なのか、成虫なのか）分かれば、その虫と紛らわしいフライを使いより簡単に魚を釣ることができる。この釣りの長い歴史に見る通り、フライフイッシングというのは、元々水生昆虫の生態と分かちがたく結びついている釣りなのである。（島崎憲司郎著、「水性昆虫アルバム」を参照。）
【０００３】
実際には流されている虫をネットですくったり、羽化して飛びたった虫を捕まえたりして、虫の種や状態をある程度、把握してフライを選択する。魚を釣り上げた場合は、その魚の内容物を調べることにとって虫の種、状態を特定することができ、フライの選択は容易になり、よく釣れるようになる。
【０００４】
このような背景を下に、従来より、ストマックポンプと呼んでいる魚の胃の内容物を吸い上げる道具があり、吸い上げた胃の内容物をシャーレ等にあけて調べる。時にはその虫を別のボトル（採取した虫をホルマリンづけにするためのインセクトボトルと称する物。）に入れ、保存することがある。
【０００５】
図１は、従来のストマックポンプを示し、このストマックポンプ１は、チューブ２の基端にゴム等の材料で形成された圧縮、復元可能な弾性の嚢３が取付けられ、チューブ１の先端を魚の胃の中に入れて、嚢３を圧縮し解放することにより、胃の中の内容物を吸い上げるものであり、いわゆる、スポイトの域を越えないものである。
【０００６】
しかしながら、このようなストマックポンプ１では、吸い取った内容物を外部から見ることができないので、シャーレ等に移し変えて観察しなくてはならず、釣り場にまでにシャーレ等を持参したり、又釣り場でそのような移し変えの作業をすることは実際のところ煩わしいという問題があった。又、サンプルとしてインセクトボトルに保存することも、同様に煩わしいという問題があった。
【０００７】
【発明が解決しようとする課題】
本発明の課題は、上記のような従来の問題を解決しようとすることであり、
（１）ストマックポンプにおいて、魚の胃から吸い出した内容物をシャーレ等に移し変えることなく、ストマックポンプを構成する容器内に採取してその場で見ることができる、
（２）内容物の中で観察対象とする虫等をポンプ本体側へ流入することを阻止して容器内に採取でき、
（３）内容物を他の瓶や容器に移し変えることなく、吸い出したストマックポンプを構成する容器に蓋をすることにより簡単にサンプルとして、運搬、保存することのできる、
ストマックポンプ及びそれを使用した魚の胃から内容物を採取してサンプルを作成する方法を実現することである。
【０００８】
【課題を解決するための手段】
上記課題を解決するために、本発明は、押圧ポンプ、透明な容器及びチューブが互いに着脱可能に組み立てられて構成されるストマックポンプであって、上記容器は、大径の容器本体と、該容器本体の基端部及び先端部に夫々形成された小径の筒状端部とから構成され、上記押圧ポンプは、弾力的に圧縮と復元が可能なポンプ本体、メッシュフィルタ及び上記容器本体の基端部の筒状端部に装着可能な先端装着管部とを具備しており、上記チューブの基端は、上記容器本体の先端部の筒状端部の開口内に水密状態を保って挿入できる直径であり、上記チューブの先端は、魚の胃の中に挿入され、上記ポンプ本体を圧縮し解放することにより、上記胃の中の内容物を上記容器内に吸い出して観察可能とするとともに、上記容器本体の先端部及び基端部の筒状端部に蓋を装着することにより、上記容器をサンプル容器として利用可能とすることを特徴とするストマックポンプを提供する。
【０００９】
そして、上記容器本体の先端部及び基端部の筒状端部の外周面にねじが形成されていてもよい。
【００１０】
上記ポンプ本体は蛇腹体であり、上記押圧ポンプは、上記蛇腹体と先端装着管部とが接続筒を介して接続されて構成され、上記先端装着管部の先端は、上記容器の筒状端部の開口に圧入又は螺着して装着できるような構成としてもよい。
【００１１】
上記ポンプ本体は蛇腹体であり、上記押圧ポンプは、上記蛇腹体と先端装着管部とから一体に構成され、上記先端装着管部の先端は、上記容器の筒状端部の開口に圧入又は螺着して装着できるようにした構成としてもよい。
【００１２】
又、上記課題を解決するために、本発明は、押圧ポンプ、透明な容器及びチューブが互いに着脱可能に組み立てられて構成されるストマックポンプであって、上記容器は、大径の容器本体と、該容器本体の基端部及び先端部に夫々形成された小径の筒状端部とから構成され、
上記押圧ポンプは、弾力的に圧縮と復元が可能なポンプ本体、メッシュフィルタ及び上記容器本体の基端部の筒状端部に装着可能な先端装着管部とを具備しており、上記チューブは、上記容器本体の先端部の筒状端部の開口内に水密状態を保って挿入できる直径であるストマックポンプを利用して魚の胃から内容物を採取してサンプルを作成する方法において、
次の（１）〜（６）の作業過程を含むことを特徴とする魚の胃から内容物を採取してサンプルを作成する方法を提供する。
（１）上記蛇腹体を伸縮させて水を容器内に吸引し充填する。
（２）上記チューブの先端を魚の口腔内を通して胃まで挿入し、蛇腹体の押圧部を押圧して容器内の水を胃の中に注入する。
（３）上記蛇腹体の押圧部を押圧した状態からゆっくりと押圧を解放して上記蛇腹体を伸ばすことにより、魚の胃の中の内容物を上記水とともに容器内に吸い出す。
（４）上記チューブを上記容器内に押し込み、上記チューブの基端を容器の略基端側に位置させ、チューブが下方にくるように容器を垂直にする。
（５）容器６の内容物が下に沈むのを待って押圧ポンプを容器から取り外し、チューブを容器から徐々に下方に引き抜きながら、容器内の水を排水する。
（６）容器内の排水が終了してから、チューブを筒状端部から完全に引き抜き、該筒状端部に蓋を装着し、保存液を容器内に充填してサンプルを完成する。
【００１３】
【発明の実施の形態】
本発明の実施の形態を実施例に基づき図面を参照にして以下説明する。図２は、本発明のストマックポンプの実施例を示す。このストマックポンプ４は、押圧ポンプ５、透明の容器６及びチューブ７とから構成される。
【００１４】
図３は、ストマックポンプ４の容器６を示しており、容器６は、大径の筒状の容器本体８と、その本体の基端部（図３の右側端部）及び先端部（図３の左側端部）の夫々に形成されている小径の筒状端部９、９’とから構成され、透明な、ガラスや合成樹脂等の材料から一体に形成される。筒状端部９、９’は開口１７、１７’が形成されており、筒状端部９、９’の外周面にはねじ１０、１０’が形成され、蓋が着脱可能に螺着して取付けられる。もちろん、このようなねじを形成することなく、蓋を筒状端部９、９’の開口内又は外面に弾力的、あるいはその他の手段により着脱可能に装着する構成としてもよい。容器６は、魚の胃から採取した内容物をサンプルとする場合は、複数個用意しておくと、採取毎のサンプルを保存することができる。
【００１５】
押圧ポンプ５は、弾力的に圧縮と復元が可能なポンプ本体１１と、上記容器６の筒状端部に装着可能な先端装着管部１２とを具備している。
【００１６】
図４は、押圧ポンプの具体的な構造を示すものであり、図４（ａ）は、この押圧ポンプ５の部品を示す図である。押圧ポンプ５は、ポンプ本体１１、先端装着管部１２、接続筒１５、及びメッシュフィルタ１６とから構成される。
【００１７】
ポンプ本体１１は、伸縮可能な蛇腹体１３を有し、蛇腹体１３の基端部には、蛇腹体１３を押圧するときに使用者が指を当てる押圧部１４となっている。蛇腹体１３の先端部には小径筒部が形成されている。蛇腹体１３及び先端装着管部１２は、例えば合成樹脂で形成され、接続筒１５は、例えばゴム、合成樹脂等の材料で形成されている。これらの材料は特に他の材料で形成してもよいことはいうまでもない。先端装着管部１２は、容器６の基端側の筒状端部９に圧入して挿入できるような直径に形成されている。なお、先端装着管部１２の先端にねじを形成し、上記筒状端部のネジ１０に螺着するような構成としてもよい。
【００１８】
メッシュフィルタ１６は、魚の胃の中から採取する内容物がポンプ本体１１内に入り込まないようにするフィルタ機能を有するものであり、可撓性を有し、薄手の繊維、合成樹脂、金属性のメッシュ（あるいはネット）材料が利用され、例えばストッキング等の布片が利用される。
【００１９】
図４（ｂ）及び図４（ａ）に示されているように、先端装着管部１２の基端にメッシュフィルタ１６が被着されて接続筒１５の細径部に嵌入され、接続筒１５に蛇腹体１３の小径筒部が嵌入されてポンプ５が組み立てられる。先端装着管部１２は、互いに接続筒１５により接続され、図４（ｂ）のように組み立てられて構成される。
【００２０】
図１０にメッシュフィルタの変形例を示す。例えば、図１０（ａ）に示すように、筒の一端にメッシュ２２を配設してなる筒状メッシュフィルタ２３を、図１０（ｂ）に示すように、先端装着管部１２の基端外面に嵌合する構成にしてもよい。又、図１０（ｃ）に示すような、補強リング２４内にメッシュ２５を設けて成る平板状メッシュフィルタ２６を、図１０（ｄ）に示すようにポンプ本体の小径筒部の先端と接続筒１５の縮径部に挟着するようにして配設してもよい。メッシュフィルタの構造及び装着部は、以上説明したものに限定されることなく、その他いろいろな構成があることは言うまでもない。なお、メッシュフィルタを特に設けないポンプの構成も実施可能であるが、この場合は、ポンプ内に採取した胃の内容物を吸い込まないように使用上の注意が必要である。
【００２１】
ポンプ５は、ポンプ本体１１と先端装着管部１２とを別体で形成し接続筒１５で接続した構成であるが、このような構成であると、接続筒１５により蛇腹体１３と先端装着管部１２が互いに屈曲し自由がきくので、魚から胃の内容物を採取する作業が行ないやすい等の利点がある。
【００２２】
図５は、ポンプ本体１１’と先端装着管部１２’とが合成樹脂材料等により一体に形成された押圧ポンプ５’の例を示し、ポンプ本体１１’は、蛇腹体１３’を有し、蛇腹体１３’の基端部には、蛇腹体１３’を押圧するときに使用者が指を当てる押圧部１４’が形成されている。蛇腹体１３’の先端部には小径筒部が形成され、先端装着管部１２’へ連成している。
【００２３】
先端装着管部１２’は、容器６の基端側の筒状端部９に圧入して挿入できるような直径に形成されている。先端装着管部１２’の先端の内側又は外側に、筒状のメッシュフィルタを嵌合又は螺着する。あるいは、可撓性を有し、薄手のメッシュフィルタを先端装着管部１２’の先端の外側に被着するようにしてもよい。なお、先端装着管部１２’は、その先端にねじを形成し、上記筒状端部のネジ１０に螺着するような構成としてもよい。
【００２４】
なお、以上説明した押圧ポンプ５、５’は、弾力的に圧縮と復元が可能なポンプ本体１１、１１’を蛇腹体１３、１３’で形成した例を示しているが、ポンプ本体は、弾力的に圧縮と復元が可能な嚢等で構成してもよい。
【００２５】
チューブ７は、合成樹脂やゴム等の材料で可撓性に形成され、その長さは魚の種類等に応じて異なるいくつかのものが用意され使用される。又チューブ７の直径は、容器８の先端側の筒状端部９’の開口１７’の内径と略同じであり、チューブ７が開口１７’内に圧入して挿入され、挿入されている状態では、チューブ７の外面が開口１７’内面に圧接され開口１７’を水密状態に封止するような直径寸法に形成される。
【００２６】
ストマックポンプ４を組み立てる際には、筒状端部９の開口１７内に押圧ポンプ１１の先端装着管部１２を圧入して挿入し、筒状端部９’の開口１７’内にチューブ７を圧入して挿入し、図２に示すストマックポンプ４として組み立てられる。
【００２７】
以上のような構成の本発明のストマックポンプ４を使用して、魚の胃から内容物を採取する方法について以下説明する。ストマックポンプ４の使用に際しては、まず上記のとおりストマックポンプ４を組み立て、川や湖等の水を蛇腹を伸縮させて容器６内に吸引し充填する。
【００２８】
図６に示すように、チューブ７の先端を魚Ｆの口腔内を通して胃まで挿入する。この状態で、蛇腹体１３の押圧部１４を押圧して容器６内の水を胃の中に注入する。そして、蛇腹体１３の押圧部１４を押圧した状態からゆっくりと押圧を解放して蛇腹体１３を伸ばすことにより、魚Ｆの胃の中の内容物（魚の食べた虫、植物等）を上記水とともに容器６内に吸い出す。この際、メッシュフィルタ１６により、胃の内容物の中で観察の対象とする虫等がポンプ５のポンプ本体１１内に入り込まないように阻止される。使用者は、容器６内に吸い取った胃の内容物を容器６の外側から観察することができる。
【００２９】
容器６内に吸い取った内容物をサンプルとして保存する場合には、図７に示すように、まず、チューブ７を容器６内に押し込み、チューブ７の基端を容器６の略基端側に位置させる。この状態で、チューブ７が下方にくるように容器６を垂直にする。そして、容器６内の内容物が下に沈むのを待って押圧ポンプ５を容器６取り外し、図８に示すようにチューブ７を容器６から徐々に下方に引き抜いていく。すると、容器６内の水１８はチューブ７の基端（図８の上端）からチューブ７内に流入して下方に流下して外へ排水される。そして、容器６内の水が少なくなった頃には、容器６内に沈んだ内容物１９が容器６の内面にはり付いたような状態となる。
【００３０】
容器６内の排水が終了してから、チューブ７は容器６の筒状端部９’から完全に引き抜かれ、筒状端部９’に蓋２０’が螺着される。そして、アルコール等の保存液２１が容器６内に充填される。そして筒状端部９には蓋２０が螺着されてサンプルが完成される。
【００３１】
【発明の効果】
本発明のストマックポンプは、容器の先端に取付けたチューブを魚の胃の中に挿入し、容器の基端に取付けた押圧ポンプを圧縮し、解放することにより、魚の胃から内容物を透明の容器内に吸い出すことができる構成としたので、ストマックポンプにおいて、魚の胃から吸い出した内容物をシャーレ等に移し変えることなく、その場で見ることができ、しかも内容物を他の瓶等に移し変えることなく、容器に蓋をすることにより、極めて簡単にサンプルとして運搬、保存することができる。
【００３２】
さらに、本発明のストマックポンプは、ポンプにメッシュフィルタを配設したので、ポンプ本体内に胃の内容物の中で観察の対象とする虫等が入り込むことが防止されるので、容器内に観察の対象とするものが十分採取することができる。
【図面の簡単な説明】
【図１】ストマックポンプの従来例を示す斜視図である。
【図２】本発明のストマックポンプの全体を示す側面図である。
【図３】図２のストマックポンプの容器を拡大した図である。
【図４】図２のストマックポンプの押圧ポンプを拡大した図である。
【図５】押圧ポンプの変形例を示す図である。
【図６】本発明のストマックポンプの使用状態を示す図である。
【図７】本発明のストマックポンプにより内容物のサンプルを作製する方法を説明する図である。
【図８】本発明のストマックポンプにより内容物のサンプルを作製する方法を説明する図である。
【図９】本発明のストマックポンプにより作製された内容物のサンプルを示す図である。
【図１０】本発明のストマックポンプのメッシュフィルタの変形例を示す図である。
【符号の説明】
１    ストマックポンプ（従来例）
４    ストマックポンプ（本発明）
５    押圧ポンプ
６    容器
７    チューブ
１２    先端装着管部
１３    蛇腹体
１６    メッシュフィルタ
１８    水
１９    内容物
２１    保存液
【図１】
0003800276.tif 000002
【図２】
0003800276.tif 000003
【図３】
0003800276.tif 000004
【図４】
0003800276.tif 000005
【図５】
0003800276.tif 000006
【図６】
0003800276.tif 000007
【図７】
0003800276.tif 000008
【図８】
0003800276.tif 000009
【図９】
0003800276.tif 000010
【図１０】
0003800276.tif 000011